(57)【要約】【課題】ファイル台紙にペーパーファスナーを固定するにあたり、ファイル台紙の背面にペーパーファスナーの板状部材を露出させることなく、ペーパーファスナーをファイル台紙に強固に固定する。さらに、使用済みのファイルのファイル台紙からは、ペーパーファスナーを容易に取り外せるようにし、ペーパーファスナーの分別、再使用を促進する。【解決手段】ペーパーファスナー補強シート１００Ａが、表面シート２０、粘着層３０及び剥離シート４０が順次積層されたものからなる。表面シート２０にはペーパーファスナー１Ａの帯金具３を通す２つの通し孔２１が開孔し、該２つの通し孔２１の間に該２つの通し孔２１を結ぶ方向に延びた中央スリット２２又は切り込みが形成されている。【選択図】　　図１
2004106275.tif 000002
【特許請求の範囲】
【請求項１】
表面シート、粘着層及び剥離シートが順次積層されてなり、表面シートにペーパーファスナーの帯金具を通す２つの通し孔が開孔し、該２つの通し孔の間に該２つの通し孔を結ぶ方向に延びた中央スリット又は切り込みが形成されているペーパーファスナー補強シート。
【請求項２】
前記中央スリット又は切り込みとして、中央スリットが形成されている請求項１記載のペーパーファスナー補強シート。
【請求項３】
中央スリットの両端部近傍において、長尺の端部スリットと短尺の端部スリットが、ハ字状に、これらの端部スリットの間隔の狭い方を中央スリットの端部に向けて形成されおり、短尺の端部スリットは中央スリットの端部と通し孔との間に位置し、長尺の端部スリットの中央スリット側端部は短尺の端部スリットの中央スリット側端部よりも中央スリットに近接して設けられている請求項２記載のペーパーファスナー補強シート。
【請求項４】
表面シートの平面形状が角を丸めた台形であり、中央スリット又は切り込みと台形の上辺との距離が、中央スリット又は切り込みと台形の底辺との距離よりも大きい請求項１記載のペーパーファスナー補強シート。
【請求項５】
表面シートが引裂性シート材料からなる請求項１〜４のいずれかに記載のペーパーファスナー補強シート。
【発明の詳細な説明】
【０００１】
【発明の属する技術分野】
本発明は、書類のファイリングに用いるペーパーファスナーをファイル台紙に固定するペーパーファスナー補強シートに関する。
【０００２】
【従来の技術】
従来、書類のファイリングを簡便に行う綴じ込み具として、図１５（ａ）に示すような一枚の板状部材２とその両端に設けられた帯金具３からなるペーパーファスナー１Ａが普及している。このペーパーファスナー１Ａの使用方法としては、まず、ペーパーファスナー１Ａをコ字状に曲げ（同図（ｂ））、次いで、通し孔１１を有するファイル台紙１０の背面からペーパーファスナー１Ａの帯金具３をその通し孔１１に通す（同図（ｃ））。そして、書類１２の通し孔１３を帯金具３にはめていくことにより書類をファイリングし、書類の上面から突出した帯金具３の上部を、該書類１２の上面に沿わせて外側又は内側に折り曲げることにより書類１２をファイル台紙１０に固定し、ファイルとする（同図（ｄ）１、（ｄ）２）。
【０００３】
このようなペーパーファスナーとしては、図１７に示すペーパーファスナー１Ｂのように、板状部材２の片面に粘着層４及び離型紙５を順次設けたものも使用されている。
【０００４】
また、図１８（ａ）に示すように、板状部材２と帯金具３からなるファスナー本体１と留め金具６とからなるペーパーファスナー１Ｃも普及している。このペーパーファスナー１Ｃの使用方法は、同図（ｂ）に示すように、ファイル台紙１０の背面からファスナー本体１の帯金具３をそのファイル台紙１０の通し孔１１に通し、書類１２の通し孔を帯金具３にはめて書類をファイリングしていく点では前述のペーパーファスナー１Ａと共通であるが、書類１２をファイル台紙１０に固定する際には、ファスナー本体１の帯金具３を留め金具６の通し孔７に通し、同図（ｃ）に示すように、それを内側に曲げ、留め金具６の押さえ具８をスライドさせて帯金具３を固定する。
【０００５】
留め金具６を使用するペーパーファスナーにも、板状部材２の背面（留め金具をはめない方の面）に粘着層、離型紙を順次設けたものがある（特許文献１参照）。図１９に示すように、板状部材２に粘着層４を設けたペーパーファスナー１Ｄは、ファイル台紙１０に通し孔を必要とせず、ファイル台紙１０のファイリング面にファスナー本体を粘着層４で固定する。
【０００６】
【特許文献１】実開平７−３１３８１号公報
【０００７】
【発明が解決しようとする課題】
しかしながら、従来のペーパーファスナーにおいて、帯金具３をファイル台紙１０の通し孔１１に通して使用するタイプのものは、図１６に示したように、作製されたファイルのファイル台紙１０の背面に板状部材２が露出するので、ファイルを書類棚等に並べ、出し入れする際に、板状部材２がひっかかるという問題がある。
【０００８】
一方、板状部材２の背面に粘着層４を設け、粘着層４でファイル台紙１０にペーパーファスナーを固定するタイプのものは、ファイリングした紙の自重により、ペーパーファスナーがファイル台紙１０から剥がれ易いという問題がある。
【０００９】
これに対し、本発明は、板状部材２の背面に粘着層４のないペーパーファスナー１Ａ、１Ｃであっても、ファイル台紙１０の背面に板状部材２が露出することがなく、かつ強固にペーパーファスナーをファイル台紙のファイリング面に固定することができ、さらに、ペーパーファスナーをファイリングに使用した後には、ファイル台紙からペーパーファスナーを容易に取り外し、その再利用も容易にするペーパーファスナー補強シートを提供することを目的とする。
【００１０】
【課題を解決するための手段】
本発明者は、片面に粘着層を設けたシートを、ファイル台紙のファイリング面に載置したペーパーファスナーの板状部材を上から覆うようにして、ファイル台紙に貼付すると、ペーパーファスナーをファイル台紙に強固に固定できること、また、ペーパーファスナーの板状部材上に位置するシートの領域に、ペーパーファスナーの長手方向に延びたスリットを形成しておくと、使用済みのファイルからペーパーファスナーを取り外し、分別回収する際に、ファイル台紙に固定したペーパーファスナーを、その帯金具を斜め上方に引き上げることにより、ファイル台紙からペーパーファスナーを容易に取り外せること、このようにシートにスリットを形成しても、書類のファイリングには十分な強度でペーパーファスナーをファイル台紙に固定できること、さらに、スリットの形成により、ペーパーファスナーをファイル台紙から取り外すときにシートの切れ端がペーパーファスナーに付着したり、周囲に散らかることを防止できることを見出した。
【００１１】
即ち、本発明は、表面シート、粘着層及び剥離シートが順次積層されてなり、表面シートにペーパーファスナーの帯金具を通す２つの通し孔が開孔し、該２つの通し孔の間に該２つの通し孔を結ぶ方向に延びた中央スリット又は切り込みが形成されているペーパーファスナー補強シートを提供する。
【００１２】
【発明の実施の形態】
以下、図面を参照しつつ本発明を詳細に説明する。なお、各図中、同一符号は同一又は同等の構成要素を表している。
【００１３】
図１は本発明の一実施例のペーパーファスナー補強シート１００Ａの正面図（ａ）、断面図（ｂ）及び背面図（ｃ）である。
【００１４】
このペーパーファスナー補強シート１００Ａは、表面シート２０の裏面全面に粘着層３０及び剥離シート４０が順次積層された層構成を有している。
【００１５】
表面シート２０は、一定方向に引き裂くことのできるの易引裂性シート材料から形成することが好ましく、例えば、布クロス、易引裂性樹脂シート、易引裂加工を施した不織布等を使用することができる。特に、布クロスは、引き裂き性の点でも、強度的にも、また、このペーパーファスナー補強シート１００Ａでペーパーファスナーを固定した後、使用済みのペーパーファスナーを取り外す際に、ペーパーファスナーに表面シートの切屑が付着しにくい点でも好ましい。
【００１６】
表面シート２０の外形形状は、角を丸めた台形となっている。通常、ファイルの作製においては、書類１２の通し孔１３の中心がファイル台紙１０の中央折れ線１０ｃから１０〜２０ｍｍの距離にくるようにするので（図１５参照）、ペーパーファスナー補強シート１００Ａの通し孔２１もファイル台紙１０に貼付する際に、通常、ファイル台紙の中央折れ線１０ｃから１０〜２０ｍｍの距離Ｄ１　に通し孔２１の中心が位置するようにする（図２（ｃ））が、このために、通し孔２１よりも中央折れ線１０ｃ側でペーパーファスナー１Ａを支える表面シート２０の面積Ｓ１（図２（ｃ）で細かいドットで塗りつぶした領域）は、その反対側でペーパーファスナー１Ａを支える表面シート２０の面積Ｓ２（図２（ｃ）で粗いドットで塗りつぶした領域）よりも狭くなる。これに対し、表面シート２０を台形とすることにより、この面積Ｓ１　の拡大を図ることができる。
【００１７】
また、表面シート２０の角を丸めることにより、ペーパーファスナー補強シート１００Ａをファイル台紙に貼付した後、そのペーパーファスナー補強シート１００Ａが角部から剥がれることを抑えることができる。
【００１８】
表面シート２０の大きさは、少なくともペーパーファスナーの板状部材を完全に覆う大きさとするが、ファイル台紙へのペーパーファスナーの固定強度の点から、台形の底辺の長さＬ１　を１２０〜１５０ｍｍ、上辺の長さＬ２　を１００〜１３０ｍｍとすることが好ましい。また、前述のように、ファイル台紙の中央折れ線１０ｃから１０〜２０ｍｍの距離Ｄ１　に通し孔２１の中心が位置するようにし、それに伴いファイル台紙の中央折れ線１０ｃ側になる表面シート２０の辺（台形の底辺）２０ａと通し孔２１の中心との距離を距離Ｄ１　よりも若干小さくする場合に、その辺２０ａと中央スリット２２との距離Ｌ４　と、その辺２０ａに対向する辺（台形の上辺）２０ｂと中央スリット２２との距離Ｌ５　は、Ｌ５　／Ｌ４　を３以上とすることが、ペーパーファスナーの固定強度の点から好ましい。一方、中央スリット２２の幅Ｌ７　は、後述するように０．８〜１．２ｍｍとすることが好ましい。また、辺２０ａと辺２０ｂとの距離（台形の高さ）Ｌ３　は４３〜８０ｍｍとすることが好ましい。
【００１９】
通し孔２１は、前述した公知のペーパーファスナー１Ａ〜１Ｄの帯金具３を通すために開孔している。通し孔２１の平面形状は、図１（ａ）の破線枠中に示したように、角を丸めた長方形となっている。円形とするとファイリングした書類１２の自重により帯金具３ががたつきやすくなる。また、角を丸めない矩形とすると、帯金具３に加わった力により通し孔２１が裂けやすくなる。通し孔２１の幅Ｌ６　は、５〜７ｍｍとすることが好ましい。
【００２０】
２つの通し孔２１の間には、この２つの通し孔２１を結ぶ方向（即ち、２つの通し孔２１にペーパーファスナーの一対の帯金具３を通した状態における、ペーパーファスナーの長手方向）に延びた直線状の中央スリット２２が通し孔２１と連通することなく形成されている。
【００２１】
なお、本発明においては、中央スリット２２に代えて、その幅Ｌ７　をなくした切り込みを設けてもよい。ただし、使用済みファイルのファイル台紙からペーパーファスナーを取り外し、そのペーパーファスナーを再使用する際に、ペーパーファスナーに表面シートの切れ端や粘着剤が残ることを極力抑えるためには、表面シート２０や粘着層３０の素材にもよるが、一般には、中央スリット２２の幅Ｌ７　を０．８ｍｍ以上とすることが好ましい。また、中央スリット２２の幅は、広過ぎるとペーパーファスナーを押さえる力が弱くなり、ペーパーファスナーの固定強度が過度に弱くなるので１．２ｍｍ以下とすることが好ましい。
【００２２】
中央スリット２２の長さＬ８　は、２つの通し孔２１の間隔よりも若干短い６６〜７０ｍｍとすることが好ましい。なお、本発明において、中央スリット２２は、通し孔２１と連通させてもよいが、ペーパーファスナーの固定強度をより高める点から、連通させない方が好ましい。
【００２３】
中央スリット２２の両端部２２ａの近傍においては、長尺の端部スリット２３と短尺の端部スリット２４が、ハ字状に、これらの端部スリット２３、２４の間隔の狭い方を中央スリット２２の端部２２ａに向けて形成されている。ここで、短尺の端部スリット２４は中央スリット２２の端部２２ａと通し孔２１との間に位置しており、その長さＬ９　は２．５〜３ｍｍとすることが好ましい。一方、長尺の端部スリット２３は、その中央スリット側端部２３ａが短尺の端部スリット２４の中央スリット側端部２４ａよりも中央スリット２２に近接して設けられており、その長さＬ１０　は６．５〜７．５ｍｍとすることが好ましい。
【００２４】
さらに、上述のように中央スリット２２の両端部２２ａの近傍において、ハ字状に形成された長尺の端部スリット２３と短尺の端部スリット２４は、中央スリット２２の中央部を中心として点対称に形成されている。
【００２５】
このように中央スリット２２、ハ字状の端部スリット２３、２４を形成することにより、後述するように、使用済みのペーパーファスナーをファイル台紙からスムーズに取り外すことが可能となる。
【００２６】
なお、使用済みのペーパーファスナーをファイル台紙から容易に取り外せるようにするため、図１４に示すペーパーファスナー補強シート１００Ｘのように、中央スリット２２あるいは切り込み、及び端部スリット２３、２４を形成することなく、表面シート２０に切れ目２５を形成することも考えられる。このように形成すると、切れ目２５から表面シート２０の一部を剥がし取り、ペーパーファスナーをファイル台紙から外すことはできるが、シートの薄片あるいは粘着層がペーパーファスナーに付着し易く、また、剥がし取ったシート屑が散らかり易いので好ましくない。
【００２７】
一方、粘着層３０としては、粘着性が１．１〜１．７ｋｇｆ／２５ｍｍ程度のものを設けることが好ましい。このような粘着層３０の形成は、表面シート２０上にアクリル系粘着剤等の粘着剤組成物を塗布することによってもよく、不織布等を基材とする両面粘着シートの粘着層を用いてもよい。
【００２８】
剥離シート４０は、ペーパーファスナー補強シート１００Ａをファイル台紙に固定する際に、剥離除去されるものである。
【００２９】
剥離シート４０は、一枚のシートから形成してもよいが、例えば、図１（ｃ）に示したように、複数枚のシート４０ａ、４０ｂから形成すると、剥離シート４０を剥離除去してペーパーファスナーの帯金具３を通す際に、まず、通し孔２１の有る方の剥離シート４０ａは剥離除去するが、通し孔２１の無い方の剥離シート４０ｂは残し、その残した剥離シート４０ｂを把持して帯金具３を通し孔２１に完全に通し、次いで残りの剥離シート４０ｂを剥離することができるので、ペーパーファスナー補強シート１００Ａの使い勝手が向上する。
【００３０】
このペーパーファスナー補強シート１００Ａの使用方法としては、例えば、図１５に示したペーパーファスナー１Ａをファイル台紙１０に固定する場合、まず、ペーパーファスナー１Ａをコ字状に曲げ、ペーパーファスナー補強シート１００Ａの通し孔２１が有る方の剥離シート４０ａを剥離除去し、通し孔２１にペーパーファスナー１Ａの帯金具３を通し（図２（ａ））、残りの剥離シート４０ｂも剥離除去し、帯金具３の上面をペーパーファスナー補強シート１００Ａの粘着層に重ね合わせる（図２（ｂ））。そして、ファイル台紙１０のファイリング面にペーパーファスナー補強シート１００Ａを貼付し、それによりペーパーファスナー１Ａをファイル台紙１０に固定する（図２（ｃ））。
【００３１】
ファイル台紙１０にペーパーファスナー１Ａを固定した後は、公知のペーパーファスナー１Ａの使い方と同様に、帯金具３に書類１２の通し孔１３をはめていくことにより書類１２をファイリングし、所定の書類をファイリングした後、書類１２の上面から突出した帯金具３の上部を、該書類１２の上面に沿わせて外側又は内側に折り曲げることにより書類１２をファイル台紙１０に固定する（図２（ｄ）１、（ｄ）２）。図３は、このようにして書類１２がファイリングされたファイルの断面図である。このファイルでは、ファイル台紙１０の背面にペーパーファスナー１Ａの板状部材２が露出することなく、滑らかである。したがって、このファイルを書類棚等に並べ、出し入れする際に、板状部材２がひっかかることはない。
【００３２】
また、こうして形成されたファイルは、ペーパーファスナー１Ａを固定するペーパーファスナー補強シート１００Ａに中央スリット２２が形成されているにもかかわらず、意外にも、ペーパーファスナー１Ａをファイル台紙１０に強固に固定することができ、例えば、ＰＰＣ用紙１６０枚（６２５ｇ）程度をファイリングした場合に、図６に示すように、ファイリングした書類１２の一端を把持して矢印のように上下、あるいは振り子のように左右に振っても、図７に示すように、ファイル台紙１０の表紙側端部１０ａを把持して矢印のように上下、あるいは振り子のように左右に振っても、図８（ａ）に示すように、ファイルを、その表表紙を下にして台に置き、その裏表紙側端部１０ｂを把持して同図（ｂ）に矢印で示すようにファイルを開き、さらに同図（ｃ）に示すように、ファイルを閉じることを繰り返しても、ファイリングした書類１２の自重により、ペーパーファスナー１Ａがファイル台紙１０から剥がれることはない。
【００３３】
また、こうして作成したファイルが不要となった場合には、書類１２を外し、図４（ａ）に示すように、使用済みのペーパーファスナー１Ａの帯金具３を斜め上方に引き上げる。このとき、中央スリット２２の両端部には、長さの異なる長尺端部スリット２３と短尺端部スリット２４がハ字状に形成されているので、長尺端部スリット２３と短尺端部スリット２４には不均等に力がかかり、その力は図４（ｂ）に矢印で示すように伝わる。このため、同図に示した一点鎖線に沿って表面シートが裂け広がり、図５に示すように、ペーパーファスナー１Ａをスムーズにファイル台紙１０から取り外すことができる。
【００３４】
こうして取り外したペーパーファスナー１Ａには、表面シート２０の切屑が付着しないので、取り外したペーパーファスナー１Ａを直ちに再使用することができる。また、取り外したペーパーファスナー１Ａを廃棄する場合にも、ペーパーファスナー１Ａと、ファイル台紙１０及びペーパーファスナー補強シート１００Ａとの分別収集を徹底させることができるので好ましい。さらに、表面シート２０からは細かい切屑が発生せず、表面シート２０はファイル台紙１０に一体として残るので、切屑が散らかることを防止できる。
【００３５】
本発明は、上述した他、種々の態様をとることができる。例えば、表面シート２０の形状は、角を丸めた台形に限らず、図９のペーパーファスナー補強シート１００Ｂのように角を丸めた長方形としてもよく、図１０ペーパーファスナー補強シート１００Ｃのように半月状としてもよい。
【００３６】
また、図１１、図１２のペーパーファスナー補強シート１００Ｄのように、ファイル台紙の中央側になる表面シート２０の辺２０ａと中央スリット２２との距離Ｌ４　を、ファイル台紙上の通し孔１１と中央折れ線１０ｃとの距離より大きくしてもよい。この場合には、図１２に示すように、表面シート２０の一端がファイル台紙１０の中央折れ線１０ｃを越え、表面シート２０がファイル台紙の表紙１０Ｘと裏表紙１０Ｙとにまたがって貼付されるようにする。
【００３７】
また、図１３のペーパーファスナー補強シート１００Ｅのように、ハ字状の端部スリットを省略してもよい。この場合には、使用済みのペーパーファスナーをスムーズに取り外すことのできるように、通し孔２１と中央スリット２２との距離を接近させることが好ましい。
【００３８】
本発明で固定することのできるペーパーファスナーは、一枚の板状部材２とその両端に設けられた帯金具３からなるペーパーファスナー１Ａ（図１５）の他、その板状部材２の片面に粘着層４及び離型紙５を順次設けたもの（図１７）、板状部材２と帯金具３からなるファスナー本体１と留め金具６とからなるもの（図１８）、その板状部材２の片面に粘着層４及び離型紙５を順次設けたもの等を使用することができる。
【００３９】
【実施例】
実施例１
図１に示したペーパーファスナー補強シートを作製した。この場合、表面シートには布クロス（マグナプレン、ダイニック社）を使用し、粘着層は強力タイプの両面粘着テープ（ナイスタック強力タイプ、ニチバン社）の粘着層を布クロスに貼付することにより形成した。
【００４０】
また、図１中の寸法は、次の通りとした。
【００４１】
Ｌ１　１３０ｍｍ
Ｌ２　１１０ｍｍ
Ｌ３　　６５ｍｍ
Ｌ４　　１３ｍｍ
Ｌ５　　５１ｍｍ
Ｌ６　　　６ｍｍ
Ｌ７　　　１ｍｍ
Ｌ８　　７０ｍｍ
Ｌ９　　　３ｍｍ
Ｌ１０　１０ｍｍ
【００４２】
評価
一枚の板状部材２とその両端に設けられた帯金具３からなるペーパーファスナー（図１５）（ペーパーファスナー、リヒト社）を用意し、このペーパーファスナーを紙製ファイル台紙（個別フォルダー、コクヨ社）に、実施例１で得たペーパーファスナー補強シートを用いて固定し、ＰＰＣ用紙１６０枚（６３６ｇ）を綴じた。次いで、以下の（ａ）粘着耐性実験、（ｂ）振り子・落下実験、（ｃ）分別実験を行った。
【００４３】
（ａ）粘着耐性実験
ファイリングした用紙を全てめくり、用紙がファイル台紙に止められているか否かを調べ、さらに図７に示したようにファイルを上下に１０回（５往復）振り、その後のペーパーファスナーの固定具合を調べた。
【００４４】
また、図８に示したようにファイルを６回（３往復）開閉した後のペーパーファスナーの固定具合も調べた。
【００４５】
その結果、ペーパーファスナーはファイル台紙から浮き上がることなく、全ての用紙が綴じられ、しっかりとファイル台紙に固定されていた。
【００４６】
（ｂ）振り子・落下実験
図７に示したようにファイルを振り子のように左右に１０回（５往復）振り、さらに、高さ８０ｃｍ（オフィスの事務机の高さ）から１回自然落下させ、その後のペーパーファスナーの固定具合を調べた。
【００４７】
その結果、全ての用紙が綴じられた状態で、ペーパーファスナーはしっかりとファイル台紙に固定されていた。
【００４８】
（ｃ）分別実験
ファイルから用紙を外し、さらにペーパーファスナーを取り外したときの、ペーパーファスナーに付着したシート屑あるいは周囲に落下したシート屑の有無を調べた。
【００４９】
その結果、ペーパーファスナーには、板状部材の角隅部に僅かにシートの小薄片が付着していたが、周囲に落下したシート屑は無かった。
【００５０】
実施例２
粘着層を一般タイプの両面粘着テープ（ナイスタック、ニチバン社）から形成した以外は実施例１と同様にしてペーパーファスナー補強シートを作製し、（ａ）粘着耐性実験、（ｂ）振り子・落下実験、（ｃ）分別実験を行った。
【００５１】
その結果、（ａ）粘着耐性実験では、ペーパーファスナーに僅かに浮きがあり、実施例１の方が優れていたが、実使用上は問題のない程度であった。（ｂ）振り子・落下実験と（ｃ）分別実験では、実施例１と同様に良好な結果が得られた。
【００５２】
実施例３
表面シートをビニルクロス（ＲＢＡ、ダイニック社）から形成した以外は実施例１と同様にしてペーパーファスナー補強シートを作製し、（ａ）粘着耐性実験、（ｂ）振り子・落下実験、（ｃ）分別実験を行った。
【００５３】
その結果、（ａ）粘着耐性実験では、表面シートの伸びのためにペーパーファスナーが僅かに浮きがあり、実施例１の方が優れていたが、実使用上は問題のない程度であった。（ｂ）振り子・落下実験では実施例１と同様に良好な結果が得られた。また、（ｃ）分別実験では、ペーパーファスナーにシートの小薄片シートと粘着層が付着していた。したがって、分別効率を上げるためには、表面シートとして布クロスがより好ましいことがわかった。
【００５４】
【発明の効果】
本発明のペーパーファスナー補強シートを用いると、ペーパーファスナーをファイル台紙に固定するにあたり、ファイル台紙の背面にペーパーファスナーの板状部材が露出することがない。したがって、ファイルを書類棚等に並べ、出し入れする際の板状部材のひっかかりの問題を解消することができる。
【００５５】
また、ペーパーファスナーを強固にファイル台紙に固定することができる。
【００５６】
さらに、ペーパーファスナーをファイリングに使用した後には、ファイル台紙からペーパーファスナーを、シート屑の付着のない状態で容易に取り外すことができるので、ペーパーファスナーの再使用を促進することができる。
【図面の簡単な説明】
【図１】ペーパーファスナー補強シートの正面図（ａ）、断面図（ｂ）及び背面図（ｃ）である。
【図２】ペーパーファスナー補強シートの使用方法の説明図である。
【図３】本発明のペーパーファスナー補強シートを用いたファイルの断面図である。
【図４】使用済みのペーパーファスナーの取り外し方法の説明図である。
【図５】使用済みのペーパーファスナーを取り外したファイル台紙の斜視図である。
【図６】ペーパーファスナーの固定強度の試験方法の説明図である。
【図７】ペーパーファスナーの固定強度の試験方法の説明図である。
【図８】ペーパーファスナーの固定強度の試験方法の説明図である。
【図９】異なる態様のペーパーファスナー補強シートの平面図である。
【図１０】異なる態様のペーパーファスナー補強シートの平面図である。
【図１１】異なる態様のペーパーファスナー補強シートの平面図である。
【図１２】異なる態様のペーパーファスナー補強シートの使用方法の説明図である。
【図１３】異なる態様のペーパーファスナー補強シートの平面図である。
【図１４】本発明と異なるペーパーファスナー補強シートの平面図である。
【図１５】一般的なペーパーファスナー及びその使用方法の説明図である。
【図１６】従来法により書類をペーパーファスナーでファイリングしたファイルの断面図である。
【図１７】一般的なペーパーファスナーの平面図である。
【図１８】一般的なペーパーファスナー及びその使用方法の説明図である。
【図１９】一般的なペーパーファスナー及びその使用方法の説明図である。
【符号の説明】
１Ａ、１Ｂ、１Ｃ、１Ｄ　ペーパーファスナー
１　　ファスナー本体
２　　板状部材
３　　帯金具
１０　　ファイル台紙
１０ｃ　ファイル台紙の中央折れ線
１１　　ファイル台紙の通し孔
１２　　書類
２０　　表面シート
２０ａ　表面シートの辺（台形の底辺）
２０ｂ　表面シートの辺（台形の上辺）
２１　　通し孔
２２　　中央スリット
２３　　長尺の端部スリット
２４　　短尺の端部スリット
３０　　粘着層
４０　　剥離シート
１００Ａ、１００Ｂ、１００Ｃ、１００Ｄ、１００Ｅ　ペーパーファスナー補強シート
【図１】
2004106275.tif 000003
【図２】
2004106275.tif 000004
【図３】
2004106275.tif 000005
【図４】
2004106275.tif 000006
【図５】
2004106275.tif 000007
【図６】
2004106275.tif 000008
【図７】
2004106275.tif 000009
【図８】
2004106275.tif 000010
【図９】
2004106275.tif 000011
【図１０】
2004106275.tif 000012
【図１１】
2004106275.tif 000013
【図１２】
2004106275.tif 000014
【図１３】
2004106275.tif 000015
【図１４】
2004106275.tif 000016
【図１５】
2004106275.tif 000017
【図１６】
2004106275.tif 000018
【図１７】
2004106275.tif 000019
【図１８】
2004106275.tif 000020
【図１９】
2004106275.tif 000021